(57)【要約】【課題】コルゲート管で取水可能にすること。【解決手段】取水管１０は、コルゲート管１２と、コルゲート管１２の外周に捲回されるフィルター材１４とを備えている。コルゲート管１２は、山部１２ａと、山部１２ａ間に設けられた谷部１２ｂとを備え、内部が中空な円筒状に形成されている。山部１２ａには、空気抜き孔１２ｃの貫通形成と、充填物１２ｄの充填とが交合に設けられている。谷部１２ｂには、これを貫通する取水孔１２ｅが設けられている。フィルター材１４は、メッシュ間隔の比較的小さいポリエチレン製のネットで構成され、これをコルゲート管１２の外面に巻き付けて、山部１２ａに散在的に熱融着することで取付けている。【選択図】  図４
2004278604.tif 000002
【特許請求の範囲】
【請求項１】
水，海水を取水するために、水海中の水底地盤に埋設される取水管において、
前記取水管は、コルゲート管と、前記コルゲート管の外周に捲回されるフィルター材とを備え、
前記コルゲート管は、交互に形成される中空山部と谷部とを有し、
前記中空山部のそれぞれに空気抜き孔を貫通形成するか、または、前記中空山部内に水よりも比重の大きな充填物を充填し、
前記谷部に取水孔を設けたことを特徴とする取水管。
【請求項２】
前記フィルター材は、メッシュ間隔の比較的小さいポリエチレン製ネットで構成され、
これを前記コルゲート管の外周に捲回して、前記山部に熱融着により固着することを特徴とする請求項１記載の取水管。
【請求項３】
前記充填物は、充填後に固化させるモルタルで構成することを特徴とする請求項１または２記載の取水管。
【請求項４】
前記空気抜き孔の貫通形成と前記充填物の充填とを前記山部に併用することを特徴とする請求項１〜３のいずれか１項記載の取水管。
【発明の詳細な説明】
【０００１】
【発明の属する技術分野】
この発明は、水底地盤中に埋設され、水，海水を取水する際に用いられる取水管に関するものである。
【０００２】
【従来の技術】
海水淡水化施設などでは、海底中の地盤に取水管を埋設して、取水管を介して海水を施設内に取り入れている。このような取水管は、例えば、特許文献１の従来技術の欄に記載されているように、塩ビ管など合成樹脂製の管体に、多数の貫通孔を設け、外周にフィルター材を巻き付けたものが用いられている。
【０００３】
このような管体を用いた取水管は、継手部を介して、所定長さの親管を形成し、親管の両側面に、長手方向と直交するように、複数の枝管を突設した形状に形成され、枝管と親管の接続にも継手部が介装される。
【０００４】
しかしながら、このような従来の水底地盤中に埋設される取水管には、以下に説明する課題があった。
【０００５】
【特許文献１】
特許第３２７９２２７号
【０００６】
【発明が解決しようとする課題】
すなわち、従来の塩ビ管などを用いる取水管は、重量が重く、敷設の際の施工性も悪いので、その改良が望まれていた。このような欠点を改良する手段として、例えば、農地などの暗渠排水管として用いられている軽量なコルゲート管を、水底地盤中に埋設する取水管として用いることが考えられる。
【０００７】
ところが、コルゲート管は、中空形状の山部を有しているので、水底地盤中に埋設する際には、浮力が作用して、水中での設置に浮力対策が必要になる。また、取水のためにコルゲート管に貫通孔を設けることになるが、この貫通孔から小径の砕石などの異物が侵入するという問題があった。
【０００８】
本発明は、このような従来の問題点に鑑みてなされたものであって、その目的とするところは、異物の侵入を防止しつつ、コルゲート管を水底地盤中に埋設して取水管として使用できるようにすることにある。
【０００９】
【課題を解決するための手段】
上記目的を達成するために、本発明は、水，海水を取水するために、水海中の水底地盤に埋設される取水管において、前記取水管は、コルゲート管と、前記コルゲート管の外周に捲回されるフィルター材とを備え、前記コルゲート管は、交互に形成される中空山部と谷部とを有し、前記中空山部のそれぞれに空気抜き孔を貫通形成するか、または、前記中空山部内に水よりも比重の大きな充填物を充填し、前記谷部に取水孔を設けた。
【００１０】
このように構成した取水管によれば、中空山部のそれぞれに空気抜き孔を貫通形成するか、または、前記中空山部内に水よりも比重の大きな充填物を充填する。
【００１１】
このため、山部に空気抜き孔を貫通形成すると、取水管を埋設する際に、この空気抜き孔から水や海水が山部に入り込んで、浮力が大幅に低減され、また、中空山部内に水よりも比重の大きな充填物を充填する場合にも、浮力が大幅に低減する。
【００１２】
浮力が大幅に低減すると、埋設作業が容易になり、コルゲート管を埋設する際の作業性が大きく向上する。
【００１３】
また、本発明では、コルゲート管の外周に捲回されるフィルター材を備えているので、小径砕石などが谷部に設けた取水孔から内部に侵入することも防止される。
【００１４】
前記フィルター材は、メッシュ間隔の比較的小さいポリエチレン製ネットで構成され、これを前記コルゲート管の外周に捲回して、前記山部に熱融着により固着することができる。
【００１５】
前記充填物は、充填後に固化させるモルタルで構成することができる。
前記空気抜き孔の貫通形成と前記充填物の充填とを前記山部に併用することができる。
【００１６】
【発明の実施の形態】
以下、本発明の好適な実施の形態について、添付図面に基づいて詳細に説明する。図１から図４は、本発明にかかる取水管の一実施例を示している。これらの図に示した取水管１０は、例えば、水海中の水底地盤に埋設され、淡水化施設などに水や海水を取水するために用いられる。
【００１７】
本実施例の取水管１０は、図１にその全体図を示すように、コルゲート管１２と、コルゲート管１２の外周に捲回されるフィルター材１４とを備えている。コルゲート管１２の詳細を図２に示している。
【００１８】
同図に示したコルゲート管１２は、ポリエチレンなどの合成樹脂により一体成形されたものであって、中空台形上の山部１２ａと、山部１２ａ間に設けられた谷部１２ｂとを備え、内部が中空な円筒状に形成されている。
【００１９】
山部１２ａは、本実施例の場合、独立形式に形成されていて、各山部１２ａは、外周を１周するように形成され、長手軸方向に沿って所定の間隔を隔てて配置されている。山部１２ａには、図４に示すように、空気抜き孔１２ｃが貫通形成されるとともに、充填物１２ｄが注入充填されている。
【００２０】
本実施例の場合、山部１２ａには、空気抜き孔１２ｃの貫通形成と、充填物１２ｄの充填とが交合に設けられている。充填物１２ｄは、空気抜き孔１２ｃを利用して注入充填することもできるし、空気抜き孔１２ｃと別の孔を設けて注入充填することもできる。
【００２１】
なお、山部１２に対する空気抜き孔１２ｃの貫通形成と、充填物１２ｄの充填とは、これらを併用して、図示したように交互に設けること以外に、全てに空気抜き孔１２ｃを貫通形成することや、全てに充填物１２ｄを充填することも可能である。
【００２２】
本実施例の場合、空気抜き孔１２ｃは、山部１２ａの上面に設けているが、山部１２ａの側面に設けることもできる。充填物１２ｄは、水よりも比重が重いものであれば、何でもよいが、コルゲート管１２を水中に設置するので、錆びが発生しない無機物、例えば、砂や小石などが好ましく、さらに好ましいのは、注入充填後に固化するモルタルである。
【００２３】
一方、谷部１２ｂには、これを貫通する取水孔１２ｅが設けられている。本実施例の場合、取水孔１２ｅは、コルゲート管１２の中心に対して、４５度の等角度間隔になるように、周方向に所定の間隔を隔てて複数設けられている。
【００２４】
また、フィルター材１４は、例えば、メッシュ間隔の比較的小さいポリエチレン製のネットで構成され、これをコルゲート管１２の外面に巻き付けて、山部１２ａに散在的に熱融着することで取付けている。
【００２５】
さて、以上のように構成した取水管１０によれば、コルゲート管１２の中空山部１２ａのそれぞれに空気抜き孔１２ｃを貫通形成するか、または、中空山部１２ａ内に水よりも比重の大きな充填物１２ｄを充填している。
【００２６】
このため、山部１２ａに空気抜き孔１２ｃを貫通形成すると、取水管１０を埋設する際に、この空気抜き孔１２ｃから水や海水が山部１２ａに入り込んで、浮力が大幅に低減され、また、中空山部１２ａ内に水よりも比重の大きな充填物１２ｄを充填する場合にも、浮力が大幅に低減する。
【００２７】
浮力が大幅に低減すると、埋設作業が容易になり、コルゲート管１２を埋設する際の作業性が大きく向上する。
【００２８】
また、本実施例では、コルゲート管１２の外周に捲回されるフィルター材１４を備えているので、小径砕石などが谷部に設けた取水孔１２ｅから内部に侵入することも防止される。
【００２９】
【発明の効果】
以上、詳細に説明したように、本発明にかかる取水管によれば、異物の侵入を防止しつつ、コルゲート管を水底地盤中に埋設して取水管として使用することができる。
【図面の簡単な説明】
【図１】本発明にかかる取水管の一実施例を示す側面斜視図である。
【図２】図１のコルゲート管の一部断面図である。
【図３】図１の縦断面図である。
【図４】図２に示したコルゲート管の要部拡大図である。
【符号の説明】
１０          取水管
１２          コルゲート管
１２ａ        山部
１２ｂ        谷部
１２ｃ        空気抜き孔
１２ｄ        充填物
１４          フィルター材
【図１】
2004278604.tif 000003
【図２】
2004278604.tif 000004
【図３】
2004278604.tif 000005
【図４】
2004278604.tif 000006